(57)【特許請求の範囲】
【請求項１】
２つのローラ（１，２）の間の支持結合装置であって、少なくとも１つのローラ（１，２）のローラ周壁（１３，１５）が、定置の支持体（１４，１６）を中心にして回転可能に配置されていて、少なくとも１つの支持部材（１７）によって前記支持体（１４，１６）に支承されており、さらに前記ローラ周壁（１３，１５）が、ローラ（１，２）の押圧平面に沿って前記支持体（１４，１６）に対して移動可能である形式のものにおいて、前記支持体（１４，１６）の各１つの端部を収容する支持部分（５，６）が、前記押圧平面に沿って延びる少なくとも１つの細長い結合部分（７）を介して互いに形状接続的に結合されており、該結合部分（７）が、両端部に膨隆部（８）を有していて、前記支持部分（５，６）に設けられた対応する切欠き（９）に、ローラ軸線に対して平行に引抜き可能に収納されていることを特徴とする、２つのローラの間の支持結合装置。
【請求項２】
前記支持部分（５，６）の外面からローラ（１，２）に向かって延びる前記結合部分（７）が、前記支持部分（５，６）の厚さの少なくとも５０％にわたって延びている、請求項１記載の支持結合装置。
【請求項３】
対応する前記支持部分（５，６）の間に各２つまたは複数の結合部分（７）が、前記押圧平面に対して対称的に配置されている、請求項１または２記載の支持結合装置。
【請求項４】
前記結合部分（７）に設けられた膨隆部（８）が、ほぼ半円形の横断面形状を有しており、該横断面形状を制限する真直な制限部が、前記結合部分（７）から離れる方向に向けられており、前記支持部分（５，６）が、細長い切欠きと共に、該切欠きに続いて設けられた、前記結合部分（７）を収容するための孔を有している、請求項１から３までのいずれか１項記載の支持結合装置。
【請求項５】
それぞれ２つの支持部分（５，６）の間に、ローラ（１，２）の押圧平面に対して横方向における前記支持部分（５，６）のずれを阻止する中間部材が埋め込まれており、該中間部材が、前記ローラ（１，２）の取外し時にローラ周壁（１３，１５）、シーブ、フェルト（４）またはこれに類するものの交換を可能にするようになっている、請求項１から４までのいずれか１項記載の支持結合装置。
【請求項６】
前記支持部分（５，６）の互いに接触し合う結合面が、ローラ（１，２）の押圧平面に対して横方向における前記支持部分（５，６）のずれを阻止する形状を有している、請求項１から４までのいずれか１項記載の支持結合装置。
【請求項７】
上側のローラ（１）の支持部分（５）が、各１つの位置固定のスタンド（１１）によって支持されている、請求項１から６までのいずれか１項記載の支持結合装置。
【請求項８】
下側のローラ（２）の支持部分（６）がそれぞれ、両支持部分（５，６）を同時に側方でガイドする位置固定のスタンド（１２）に載置されている、請求項１から６までのいずれか１項記載の支持結合装置。
【請求項９】
前記支持部分（５，６）の間でローラ（１，２）の支持体（１４，１６）に対して部分的に平行に延びる少なくとも１つの付加的な支持体が、カンチレバー支持体（１８）として働くようになっており、該カンチレバー支持体（１８）の一方の端部（１０）が、ローラ装置から導出されていて、ローラ装置の外側で定置の構成部材（１９）に結合されている、請求項１から８までのいずれか１項記載の支持結合装置。
【請求項１０】
前記カンチレバー支持体（１８）が、下側のローラ（２）の組付けおよび取外しのための搬送装置（２０）を有している、請求項９記載の支持結合装置。
【発明の詳細な説明】
【０００１】
【産業上の利用分野】
本発明は、２つのローラの間の支持結合装置であって、少なくとも１つのローラのローラ周壁が、定置の支持体を中心にして回転可能に配置されていて、少なくとも１つの支持部材によって前記支持体に支承されており、さらに前記ローラ周壁が、ローラの押圧平面に沿って前記支持体に対して移動可能である形式のものにに関する。
【０００２】
【従来の技術】
このような形式の支持結合装置は既に公知であり、材料ウェブの製造および加工のために用いられるようなローラ装置において使用される。特に紙料の場合では、ローラの支持体の各１つの端部を収容する支持部分が、この支持部分にねじで取り付けられたＵ字形のクランプを介して互いに結合される。このときに生じる面圧および曲げモーメントに基づき、前記クランプと前記支持部分とは相応して大きく形成されなければならず、ひいては大きな重量で形成されなければならない。これによって、このような結合装置を解離するためには、著しい時間がかかってしまう。
【０００３】
【発明が解決しようとする課題】
本発明の課題は、冒頭で述べた形式の支持結合装置を改良して、コンパクトな構造を有していて、しかもローラ、フェルト、クロス等の迅速な交換を可能にするような支持結合装置を提供することである。
【０００４】
【課題を解決するための手段】
この課題を解決するために本発明の構成では、前記支持体の各１つの端部を収容する支持部分が、前記押圧平面に沿って延びる少なくとも１つの細長い結合部分を介して互いに形状接続的に結合されており、該結合部分が、両端部に膨隆部を有していて、前記支持部分に設けられた対応する切欠きに、ローラ軸線に対して平行に引抜き可能に収納されているようにした。
【０００５】
【発明の効果】
本発明によれば、ローラ、フェルトまたはクロス等の迅速な交換が可能となり、しかもコンパクトな構造が得られる。
【０００６】
少なくとも１つのローラのローラ周壁が、定置の支持体に対してローラの押圧平面に沿って移動可能であると、２つのローラの間の確実な支持結合が得られる。
【０００７】
結合部分の膨隆部は、たとえば角柱形、台形または半円形の横断面を有している。膨隆部が半円形の横断面形状を有していて、該横断面形状を制限する真直な制限部が、結合部分から離れる方向に向けられていると有利である。これによって、切欠きの構造が単純になる。すなわち、この場合に切欠きは細長い区分と、この区分に続く孔とから成っているだけでよい。
【０００８】
主として引張り力によって負荷される前記結合部分の寸法を制限するためには、前記結合部分が支持部分の外面から、支持部分の厚さの少なくとも５０％にわたってローラに向かって延びていると望ましい。さらに、前記支持部分の間に２つ以上の結合部分が挿入されて、これらの結合部分が押圧平面に対して対称的に配置されていると好都合である。
【０００９】
場合によって生じる横方向力は、支持部分の互いに接触した結合面に適宜な形状を与えることによって受け止められると望ましい。このことは、２つの支持部分の間に中間部材を埋め込むことによっても可能となる。このことには、中間部材が取り外されると、ローラ周壁、シーブ、フェルト等の交換が可能になるか、または容易になるという付加的な利点がある。
【００１０】
使用事例に関連して用いられる１実施態様では、下側のローラの支持部分がそれぞれ、両支持部分を同時にガイドする位置固定のスタンドに載置されている。この場合に支持結合の解離は、１つのローラのローラ周壁を対向ローラに向かって押圧している支持部材の負荷軽減によって簡単に行なわれる。形状接続的な結合をこのように緩めた後に、結合部分は問題なく取り出すことができ、また支持部分の持上げも適当な持上げ装置を介して行なうことができる。
【００１１】
別の使用事例では、上側のローラの支持部分が、各１つの位置固定のスタンドによって支持されるようになっている。上側のローラの支持部分には、結合部分を介して下側のローラの支持部分が懸吊されている。この場合に結合の解離が必要になると、このことは同じく支持部材の負荷軽減により行なわれるが、しかしこの場合には、その後で下側のローラの位置が、結合をさらに緩める目的で適当な外部補助装置によって少しだけ持ち上げられて、位置固定されなければならない。このような配置形式は、下側のローラに対する接近可能性が改善されなければならない場合に、特に有利である。
【００１２】
【実施例】
以下に、本発明の２つの実施例を図面につき詳しく説明する。
【００１３】
図１に示した実施例では、２つのローラ１，２が材料ウェブ３を加工するためのローラギャップを形成しており、この場合、上側のローラ１のローラ周壁１３は定置の支持体１４を中心にして回転可能に配置されていて、複数の支持部材１７によって前記支持体１４に支承されている。ローラ周壁１３はローラ１の押圧平面に沿って前記支持体１４に対して移動可能である。このような支持部材１７は、たとえばスイス国特許第５４１０８８号明細書に基づき公知である。このようなローラ配置形式は、しばしば紙ウェブを平滑化する目的で使用される。
【００１４】
上側のローラ１の支持体１４の端部と、下側のローラ２の支持体１６の端部とを両側でそれぞれ収容する支持部分５，６は、それぞれ押圧平面に沿って支持部分５，６の厚さ全体にわたって延びる各２つの細長い結合部分７を介して互いに形状接続的に結合されている。これらの結合部分７はそれぞれ両端部に膨隆部８を有していて、それぞれ支持部分５，６に設けられた対応する切欠き９に、ローラ軸線に対して平行に引抜き可能に収容されている。下側のローラ２の支持部分６は両側でそれぞれスタンド１２に載置されており、このスタンド１２は両支持部分５，６を同時に側方で案内していて、これによって押圧平面に対して横方向に生じる力を受け止めている。
【００１５】
したがって組付け時では、ローラ１，２の支持部分５，６がスタンド１２内に挿入される。結合部分７がそれぞれ切欠き９に差し込まれた後に、支持部材１７を用いてローラ周壁１３を押圧平面に沿って下側のローラ２に向かって移動させることによって、結合の固定が行なわれ、結合の解離は逆の順序で行われる。
【００１６】
支持部分５，６の外面で結合部分７のずれを防止するためには、公知の位置固定部材が設けられていてよい。さらに、上下に位置するローラ１，２が２つよりも多く設けられている場合でも、前記支持結合装置を使用することが可能である。ただしその場合、各１つのローラギャップを形成するローラ１，２の少なくとも１つのローラ周壁１３が押圧平面に沿って、前で説明したように移動可能でなければならない。
【００１７】
図２に示した別の実施例では、２つのローラ１，２が、材料ウェブ３を加工するためのローラギャップを形成しており、下側のローラ２のローラ周壁１５が、定置の支持体１６を中心にして回転可能に配置されていて、複数の支持部材１７によって支持体１６に支承されている。ローラ周壁１５は下側のローラ２の押圧平面に沿って支持体１６に対して移動可能である。このような配置形式は、たとえば紙料ウェブの脱水時に使用され、特にドイツ連邦共和国特許第３１２６４９２号明細書に基づき公知である。液体を吸収するためには、紙料ウェブ３と一緒にフェルト４がローラギャップに通されて案内される。
【００１８】
このような装置では、摩耗に基づきローラ、ローラ周壁またはフェルトベルトの迅速で簡単な交換が必要となる。この理由から、たとえばドイツ連邦共和国特許第３１００５２２号明細書に開示されている装置では、カンチレバー支持体と、プレスローラ用の支持台との間に、取外し可能な中間部材が設けられている。カンチレバー支持体はプレスローラの組込みおよび取外しのための搬送装置を有している。しかし、このことは大きな所要スペースを必要とし、このことは、組換え時に不都合となる。
【００１９】
結合部分７の形状と配置形式は第１実施例に相当しているが、ただしこの場合、結合部分７の膨隆部８は、ほぼ半円の横断面形状を有している。この半円の輪郭を制限する制限線のうち真っ直ぐな制限線は、結合部分７から離れる方向へ向けられている。したがって、押圧平面に対して対称的に配置された切欠き９は、細長い形状と、それぞれこの細長い形状に続いた、膨隆部８を収容するための各１つの孔の形状とを有している。さらに、上側のローラ１の支持部分５が両側で各１つの位置固定のスタンド１１によって支持される。上側のローラ１の支持部分５には、結合部分７を介して固定された、下側のローラ２のための支持部分６が懸吊されている。場合によって生じる横方向力を受け止めるために、それぞれ下側の支持部分６とスタンド１１との間には、中間部材２２が設けられている。
【００２０】
対応するローラ１；２の支持体１４；１６の両端部でこの支持体１４；１６の各１つの端部を収容する支持部分５；６は、直接にかつ互いに解離可能に結合されており、これによってローラ１，２の押圧力は、汎用の場合のようにスタンドを介して吸収されるのではなく、支持結合装置を介して吸収されることに基づき、装置全体を一層軽量でコンパクトに形成することが可能になる。これにより、下側の両支持部分６の間で両ローラ１，２の支持体１４；１６に対して部分的に平行に延びる付加的な支持体を、小さな寸法のカンチレバー支持体１８として使用することが可能となる。このカンチレバー支持体１８の一方の端部はローラ装置から導出されていて、ローラ装置の外側で定置の構成部材１９に結合されている。両側のスタンド１１はこの場合、このカンチレバー支持体１８を介して互いに結合されている。
【００２１】
迅速でかつ簡単なローラ交換をも可能にするためには、カンチレバー支持体１８が、下側のローラ２の組込みおよび取外しのための搬送装置２０を有していると望ましい。
【００２２】
結合の形成は、下側のローラ２をその支持体１６と、この支持体１６に作用する補助装置とを介して、予め規定された位置に保持し、そして引き続き上側のローラ１の支持部分５を両スタンド１１に装着するようにして行われる。結合部分７が切欠き９に差し込まれた後に、ローラ周壁１５を支持部材１７によって押圧平面に沿って上側のローラ１に向かって移動させることにより、結合の緊定が行なわれる。
【００２３】
結合の解離は、支持部材１７を介して結合の緊締を解除し、支持体１６を少しだけ持ち上げ、ひいては支持部分６を少しだけ持ち上げた後に行なうことができる。
【００２４】
下側のローラ２を交換するためには、支持結合装置が取り外される。この場合、カンチレバー支持体１８に沿って移動可能な搬送装置２０に設けられたシリンダピストンユニット２１を介して、下側のローラ２の駆動側の端部の持ち上げが行なわれる。下側のローラ２のガイド側の端部の持ち上げおよび引き抜きは、ガイド側のローラ端部に作用する持上げ装置を介して実現される。この場合もちろん、下側の支持部分６とスタンド１１との間に側方で存在する中間部材２２は取り除かれる。
【００２５】
下側のローラ周壁１５を交換するためには、同じくガイド側の支持結合装置を解離し、そしてスタンド１１と下側の支持部分６との間に側方で存在する中間部材２２を取り除くことが必要になる。図２に示したように、下側の支持部分６がローラ周壁１５よりも小さく形成されている場合には、支持部分６を取り除く必要はなくなる。ローラ周壁１５の交換は公知の装置を介して行なうことができ、この場合、下側のローラ２の支持体１６の、ガイド側の端部はその位置に保持されなければならない。
【００２６】
フェルトベルトの交換時では、カンチレバー支持体１８がスタンド１１に結合されていることに基づき、フェルトベルト４を完全に引き込むことが可能になる。このためには、スタンド１１をガイド側で少しだけ持ち上げ、スタンド面２３とスタンド１１との間の中間部材２２を取り除き、そして支持結合装置の解離後にガイド側の上側の支持部分５を持ち上げ、さらにこの上側の支持部分５とスタンド１１との間に存在する中間部材２２を取り除くことが必要となる。
【００２７】
結合の形成および解離のために必要となる、下側のローラ２の支持体１６の保持もしくは持上げは、もちろん、下側のローラ２の支持部分６に作用する補助装置を介しても行なうことができる。
【図面の簡単な説明】
【図１】本発明の第１実施例による支持結合装置を備えたローラスタンドの側面図である。
【図２】図３のＡ−Ａ線に沿った断面図である。
【図３】第２実施例の概略図である。
【図４】図３に示した搬送装置の概略図である。
【符号の説明】
１，２  ローラ、  ３  材料ウェブ、  ４  フェルト、  ５，６  支持部分、７  結合部分、  ８  膨隆部、  ９  切欠き、  １０  端部、  １１，１２  スタンド、  １３  ローラ周壁、  １４  支持体、  １５  ローラ周壁、  １６支持体、  １７  支持部材、  １８  カンチレバー支持体、  １９  構成部材、  ２０  搬送装置、  ２１  シリンダピストンユニット、  ２２  中間部材、２３  スタンド面
【図１】
0003723579.tif 000002
【図２】
0003723579.tif 000003
【図３】
0003723579.tif 000004
【図４】
0003723579.tif 000005